(57)【要約】【課題】  ユーザの視聴性を向上した映像再生装置を提供する。【解決手段】  時刻が重要となるような録画番組の再生時に、時刻に関係する番組内容を、再生時刻を考慮した番組内容に編集し、再生する。本発明にかかる映像再生装置は、例えば、通信を行う通信部と、放送データを受信する受信部と、受信した放送データを記憶する記憶部と、前記記憶部に記憶された放送データを出力する出力部と、前記記憶部に記憶された放送データを再生するときに、放送時刻を取得し、取得した放送時刻と現在時刻に基づいて放送データの編集行い、編集したデータを前記出力部から出力するように制御する制御部と、を備える。【選択図】図１
2006311163.tif 000002
【特許請求の範囲】
【請求項１】
通信を行う通信部と、
放送データを受信する受信部と、
受信した放送データを記憶する記憶部と、
前記記憶部に記憶された放送データを出力する出力部と、
前記記憶部に記憶された放送データを再生するときに、放送時刻を取得し、取得した放送時刻と現在時刻に基づいて放送データの編集を行い、編集したデータを前記出力部から出力するように制御する制御部と、
を備えていることを特徴とする映像再生装置。
【請求項２】
請求項１に記載の制御部は、前記放送時刻と前記現在時刻とともに前記放送データの番組内容に応じてデータの編集を行うことを特徴とする映像再生装置。
【請求項３】
通信を行う通信部と、
放送データを受信する受信部と、
受信した放送データを記憶する記憶部と、
前記記憶部に記憶された放送データを出力する出力部と、
前記記憶部に記憶された放送データを再生するときに、放送時刻を取得し、取得した放送時刻と現在時刻に基づいて前記出力部から放送データを出力するか否かを判断する制御部と、
を備えていることを特徴とする映像再生装置。
【請求項４】
請求項３に記載の制御部は、前記放送時刻と前記現在時刻とともに前記放送データの番組内容に応じて前記出力部から放送データを出力するか否かを判断することを特徴とする映像再生装置。
【請求項５】
前記放送データは、音データあるいは画像データあるいは文字データであることを特徴とする請求項１ないし４のいずれかに記載の映像再生装置。
【請求項６】
請求項５に記載の出力部は、前記音声データを出力する音声出力部と、前記画像データあるいは前記文字データを出力する表示部とを有することを特徴とする映像再生装置。
【請求項７】
通信を行う通信部と、放送信号を受信する受信部と、音データまたは画像データまたは文字データを保持する記憶部と、音データを出力する出力部と、文字データあるいは画像データを表示する表示部と、を備えてなる映像再生装置において、前記記憶部から取得した画像データまたは画像データまたは文字データ、あるいは前記受信部から取得した放送信号を再生するときに、放送時刻と再生時刻を取得し、放送時刻と再生時刻と番組内容から再生しても意味がないと判断した場合には、前記出力部および前記表示部から出力しないように制御することを特徴とする映像再生装置。 
【請求項８】
通信を行う通信部と、放送を受信する受信部と、音データまたは画像データまたは文字データを保持する記憶部と、音データを出力する出力部と、文字データまたは画像データを表示する表示部とを有し、前記通信部と前記受信部と前記記録部と前記出力部、前記表示部の制御を行う制御部からなる映像再生装置において、前記記憶部、或いは受信部から取得した放送信号を再生時に、放送時刻、再生時刻を取得し、番組内容に関連した番組が前記記録部に記録されて場合には、前記出力部、表示部から出力、再生し、前記記録部に記録されていない場合には、再生しないことを特徴とする映像再生装置。
【発明の詳細な説明】
【技術分野】
【０００１】
本発明は、映像を再生する装置に関するものである。
【背景技術】
【０００２】
ユーザが録画番組を視聴時に、タイムラグによる混乱が起きないように、録画番組再生時に、画面上に番組の録画日時を表示したり、テロップ部分にマスキングを施すなどして録画番組を視聴中であることを放置する技術が提案されている(特許文献１)。
【０００３】
【特許文献１】特開２００３−２７４３４４号公報
【発明の開示】
【発明が解決しようとする課題】
【０００４】
ビデオデッキ等の映像再生装置では、過去に録画したテレビ番組やビデオを再生する際、ニュース番組や番組予告など、再生時刻が重要となる番組であっても、何も考慮せずに再生していた。そのため、ユーザは、ビデオであることを常に意識しなくてはならなかった。最近では、大容量の記録部をもつ録画装置が普及し、長時間、多数の番組を録画可能となったため、ユーザは気軽に録画番組を楽しむようになり、視聴している番組が、記録装置により記録された過去の番組であるか、現在放送している番組であるかの区別がつきにくくなっている。
【０００５】
録画日時の表示やテロップ部分のマスキングのみを行う方法では、ユーザは結局、録画日時を意識しながら、番組を視聴しなければならず、自然な視聴方法とはいえない。そのため、録画番組を再生する際に、時刻が重要となる場合は、過去に録画した番組であることを、ユーザに録画時刻を意識させることなく、ユーザが視聴しやすい、自然な形で視聴させることが求められている。
【０００６】
そこで、本発明はユーザの視聴性を向上した映像再生装置を提供することを目的とする。
【課題を解決するための手段】
【０００７】
上記の目的を解決するために、本発明では、時刻が重要となるような録画番組の再生時に、時刻に関係する番組内容を、再生時刻を考慮した番組内容に編集し、再生することを特徴とする。
【発明の効果】
【０００８】
本発明によれば、ユーザの視聴性を向上した映像再生装置を提供することができる。
【発明を実施するための最良の形態】
【０００９】
図１は映像再生装置の構成要素の一例を示したものである。映像再生装置100は、アンテナ107を介して他端末や端末外部の装置等との通信を行う通信部101、アンテナ108を介して、テレビやラジオなどの放送局からの放送を受信する受信部102、音声や画像、映像などのデータを保持する記憶部103、画像データや映像データを表示する表示部104、音データなどを出力する出力部105、また、これらを制御する制御部106から構成されている。
通信部101は，アンテナ107を介し，他の情報表示装置や外部の装置等との通信を行う。これにより，ユーザは通話やインターネット，メールなどが可能である。また，本例では，通信部を持つ構成となっているが，持たない構成であっても構わない。
【００１０】
受信部102は、アンテナ108を介してラジオやテレビなどの放送局より配信される放送信号を受信する。放送信号とは，放送番組の映像データや音データの他に，放送番組に関する情報データや時刻に関する情報データを有してもよい。放送番組に関する情報データとは、例えば、放送される番組名、出演者名、現在表示している出演者名、現在表示中の内容、字幕、字幕スーパー、データ放送等を含んでいる。また、時刻に関する情報データとは、例えば、番組が時刻の重要となる情報を含んでいるか、現在放送している画面が時刻の重要となる情報であるか、番組開始及び終了時刻、再放送であるか、再放送であれば初回の放送日時、時刻など、時刻が関連した番組内容等を含んでいる。また、受信する放送信号は通常、テレビ放送であるが、映像データを持たないラジオ放送やデータ放送等であっても構わない。また，本例では、アンテナを介して、信号を受信する構成となっているが、ケーブルテレビの放送などのようにアンテナ無しで信号を受信する構成であっても構わない。
【００１１】
記憶部103は、例えば、ROM(Read Only Memory)やRAM(Random Access Memory)等で構成される。前述した受信部102において受信した放送信号を記憶したり、前述した通信部102より取得した放送信号や情報データを記録したり、その他の映像再生装置で扱う映像データや文字データ、ソフトウェアなども記憶する。通常は、筐体内部に構成されるが、着脱可能なメモリカード、CD(Compact Disk)やDVD(Digital Versatile Disk)のようなメディア、外部より接続された記憶装置等で実現してもよい。記憶部は、映像データを編集する際に使用する音データや画像データ、文字データなども記憶する。
【００１２】
表示部104は、LCD（Liquid Crystal Display）や有機EL等で構成され、受信部により受信された放送信号や記録部に記録されている放送信号などに含まれる映像データなどを表示する。出力部105は、受信部により受信された放送信号に含まれる音データや記録部に記録されている放送信号に含まれる音データなどを出力するものである。本実施例では、表示部や出力部は、筐体に内蔵されるが、テレビなどのように筐体外部に配置されていてもよい。
【００１３】
制御部106は、CPUで実現され、記憶部に記憶されたプログラムに基づいて動作し、各部を制御する。
【００１４】
本例では、映像再生装置は携帯電話を想定して説明を行っているが、放送信号を表示可能な情報表示装置であれば、テレビ、PHS（Personal Handy-phone System）、PDA（Personal Digital Assistant）やPC（Personal Computer）、モバイルビューア等、いかなるものであってもかまわない。また、放送信号を表示可能であれば、通信部や受信部のない構成であってもかまわない。
【００１５】
図2は、映像再生装置の処理手順の一例を示した図である。処理が開始される(S201)と、まず、制御部は、受信部或いは、記憶部、通信部などから再生する映像データを取得する(S202)。次に、その映像データが録画された時刻、つまり、放送された時刻（S203）、その映像データが再生された時刻、つまり現在の時刻(S204)を取得する。そして、取得した時刻などの情報や、映像データの内容から、編集が必要となるかを判断する(S205)。編集が必要と判断された場合は、映像データをどのように編集するかの編集方法を決定し(S206)、映像データの編集を行い(S207)、表示部や出力部に出力する(S208)。ステップS206において、編集が必要でないと判断された場合には、映像データには何も行わず、そのまま表示部や出力部に表示する(S208)。次に，更に再生すべき放送信号、映像データがあるか判断し(S209)、再生すべき放送信号がまだある場合にはステップS202へ戻り、一連の処理手順を繰り返す。再生する放送信号がない場合には、処理を終了する(S210)。
【００１６】
本例では、編集すべきかどうかの判定は、録画時刻、再生時刻、番組内容から行い、番組内容は、デジタル放送において、放送信号として映像データと共に送信されてきた情報データの中の番組内容から抽出することを想定しているが、文字放送のテキストデータを利用したり、映像の音声から音声認識したり，映像を認識し抽出したり、EPG(Electronic Program Guide)等から抽出したり、情報データの中の編集が必要であるかどうか、或いは時刻が重要となるような番組であるかどうかの情報を使用するなど、判定のために必要となる番組内容が抽出可能であれば、いかなる方法であってもよい。
【００１７】
また、編集対象は、放送信号として送信されてきた映像データの画像部分、音データ、文字データ、字幕、データ放送など、再生する内容の全てを対象としている。もちろん、編集の際、字幕や字幕データのみの編集など、放送信号の中から、1部分のみに編集処理を適用することも可能とする。本実施例では、編集対象個所の特定は、デジタル放送において、放送信号として映像データと共に送信されてきた情報データの中の番組内容により、特定できることを想定しているが、文字放送のテキストデータを利用したり、映像の音声から音声認識したり，映像を認識し抽出したり、EPG(Electronic Program Guide)等から抽出するなど、編集対象となる個所が特定できるのであれば、いかなる方法によって特定してもよい。
【００１８】
また、放送局側が、送信する放送信号の中に、映像データとともに、時刻による編集の必要性の有無やその具体的な編集方法を送信してもよいし、編集方法ではなく、再生時刻に適した、差し替える番組を送信してもよい。また、これらを、放送信号から入手するだけでなく、インターネットや外部の装置から入手してもよい。また、リアルタイムに番組内容を抽出するのではなく、予め放送信号やインターネット等から入手した再生する番組と適用する編集方法、再生時刻を示したテーブルより、該当する番組を該当する再生時刻に再生した場合に、該当する編集処理を適用するなどしてもよい。ここで、時刻とは、時間、分、秒など以外にも、西暦や日付など時刻に関するものであれば、いかなるものも対象としてかまわない。
【００１９】
図３は、映像再生時に編集が行われる様子の例を図で示したものである。制御部106は、通信部101、受信部102、記憶部103などから再生すべき映像データを取得すると、その映像データが録画された時刻と再生された時刻を取得する。この例では、録画時刻が「２００５年１月１８日午後７時」であり、再生時刻が、「２００５年１月１９日午後１時」となっている。そして次に、映像データと共に送信されてきた情報データの番組内容から、その番組が時刻の重要となる番組であるか、編集が必要であるかを判断し、同様に送信されてきた情報データから編集方法を決定する。この例では、映像データと共に送信されてきた情報データの番組内容から再生番組が天気予報番組であるため、時刻が重要となる番組であると判断し、編集が必要であると判断される。
【００２０】
次に、同様に映像データと共に送信されてきた情報データの番組内容から、番組内にキャスターが「今日の天気予報は・・・」と話している内容があり、録画時刻、再生時刻から、ユーザが混乱しないよう、「明日は」の部分を「今日は」と音声を編集すべきであると編集方法を決定する。そして、このような編集を施した映像データを表示部104に表示、出力部105に出力する。これによりユーザは、過去の番組を視聴していても、いつ録画された情報であるか、意識することなく、適切な情報を自然と視聴することが可能となる。もちろん、録画時刻が重要であるような場合には、「昨日時点の今日の天気予報は・・・」などと、録画時刻がわかるような編集を行ってもかまわない。
【００２１】
図４は、映像再生時に編集が行われる様子のもう１つの例を図で示したものである。制御部106は、通信部101、受信部102、記憶部103などから再生すべき映像データを取得すると、その映像データが録画された時刻と再生された時刻を取得する。この例では、録画時刻が、「２００５年１月１9日水曜日午後７時」であり、再生時刻が、「２００５年１月２４日月曜日午後１時」となっている。そして次に、映像データと共に送信されてきた情報データの番組内容から、その番組が時刻の重要となる番組であるか、編集が必要であるかを判断し、同様に送信されてきた情報データから編集方法を決定する。この例では、映像データと共に送信されてきた情報データの番組内容から再生番組が番組の告知番組であるため、時刻が重要となる番組であると判断し、編集が必要であると判断される。次に、同様に映像データと共に送信されてきた情報データの番組内容から、画面に「来週のこの時間は」と表示され、内容と、録画時刻、再生時刻から、ユーザが混乱しないよう、「来週」の部分を「水曜」或いは「２３日」など、「この時間」を「７時」や「夜」などと画像を編集すべきであると編集方法を決定する。そして、このような編集を施した映像データを表示部104に表示、出力部105に出力する。これによりユーザは、過去の番組を視聴していても、いつ録画された情報であるか、意識することなく、適切な情報を自然と視聴することが可能となる。
【００２２】
時刻に関連するあいさつ、例えば、「おはようございます」を「こんばんは」に編集したり、ニュース番組などで画面の隅に表示されている現在時刻を再生時刻に編集したりするなど、時刻に関して編集が必要と判断されれば、いかなる編集を行ってもかまわない。また、録画した番組が録画した段階で、再放送であった場合は、初回の放送時の時刻を録画時刻として使用してもよい。
【００２３】
また、録画した番組が再生時には意味のない情報となっている場合には、その番組或いは場面は再生せずに、次の番組或いは場面を再生することも可能とする。図５は、その処理手順を示したものである。処理が開始される(S501)と、まず、制御部106は、受信部102或いは、記憶部103、通信部101などから再生する映像データを取得する(S502)。次に、その映像データが録画された時刻、つまり、放送された時刻（S503）、番組、再生された時刻、つまり現在の時刻(S504)を取得する。そして、取得した時刻などの情報や、映像データの内容から、編集が必要となるかを判断する(S505)。編集が必要と判断された場合、その番組が、その時刻に再生して意味がある映像データであるか、再生すべき映像データであるかを判断する(S506)。再生すべきであると判断した場合には、映像データをどのように編集するかの編集方法を決定し(S507)、映像データの編集を行い(S508)、表示部104や出力部105に出力する(S509)。ステップS505において、編集が必要でないと判断された場合には、映像データには何も行わず、表示部104や出力部105に表示する(S509)。ステップS506において、再生すべき映像でないと判断した場合や、表示部104や出力部105に表示した(S509)後、更に再生すべき放送信号があるか判断し(S510)、再生すべき放送信号がまだある場合にはステップS502へ戻り、一連の処理手順を繰り返す。再生する放送信号がない場合には、処理を終了する(S511)。
【００２４】
例えば、天気予報が「２００５年１月２０日」に録画された日の内容であり、再生したのが「２００５年２月２０日」であった場合、１月２０日の天気予報を２月２０日にユーザが見ても意味がないため、その天気予報部分のみスキップして再生する。或いは、番組告知で告知されていた番組が既に放送済みであり、ユーザが告知を見て見たいと思っても見ることが出来ないような場合には、番組告知を再生しても効果が得られないと判断し、番組告知をスキップして再生したり、告知を行っていた番組が中止になって告知を再生しても意味がない場合には、告知をスキップして再生するなどである。また、再生すべき情報であるかの判定に、記録部等への番組の録画有無を使用してもかまわない。例えば、再生しようとする番組が、これから放送される番組を告知する番組であった場合に、告知されていた番組が、既に放送済みであっても、記憶部に録画済であれば、スキップせずに再生するなどである。
【００２５】
また、記録部等に録画されている番組を利用して、再生する番組を編集してもかまわない。例えば、再生する番組が天気予報やニュースであり、録画日時が古く、再生してもユーザにとって全く意味がない場合でも、記録部に再生時に有効な時刻に録画された天気予報やニュースがある場合には、差し替えて再生するなどである。
【００２６】
また、告知されている番組や新しい天気予報等が録画済であることを示し、ユーザの操作によって、その番組を再生可能であってもよい。
【００２７】
本例では、映像再生装置単体で、全ての機能を持つ構成としたが、その他の外部装置等が、制御部や、記録部等を持ち、映像再生装置が外部装置と通信するなど、複数の装置によって一連の機能が実現されてもよい。また、外部装置において、制御部の一機能、例えば、編集の必要性決定や編集方法の決定を行うような構成であってもかまわない。
【００２８】
また、その際、全ての処理を映像再生装置単体で行うか、外部の装置を利用して行うかはユーザが選択、切替可能、或いは自動的に切替可能とする。電池残量が少なくなった場合には、自動的に処理動作を行わない設定にするようにしても良い。
【００２９】
以上説明したように、本実施形態によれば、ユーザは、過去に録画された番組予告やCM、天気予報、ニュースなどの再生時刻が重要となる映像を再生する際に、タイムラグによる混乱が起きず、その映像がいつ録画、放送された映像であるか、意識することなく、自然と番組を楽しむことが出来るようになる。これによりユーザは自然と楽しめる使い勝手のよい映像再生装置の提供が可能となる。
【図面の簡単な説明】
【００３０】
【図１】映像再生装置の一構成図である。
【図２】映像再生装置における処理手順の一例を示したフローチャート図である。
【図３】映像再生装置における音声の編集機能を示した図である。
【図４】映像再生装置における画像の編集機能を示した図である。
【図５】映像再生装置における処理手順を示したフローチャート図である。
【符号の説明】
【００３１】
１００    情報表示装置
１０１    通信部
１０２    受信部
１０３    記憶部
１０４    表示部
１０５    出力部
１０６    制御部
１０７    アンテナ
１０８    アンテナ
【図１】
2006311163.tif 000003
【図２】
2006311163.tif 000004
【図３】
2006311163.tif 000005
【図４】
2006311163.tif 000006
【図５】
2006311163.tif 000007